(57)【要約】【課題】複数種類の映像を表示可能な表示装置においても、ユーザの手を煩わせることなく、ユーザにとって直感的な操作が可能な表示装置を提供すること。【解決手段】複数種類の入力映像信号を受信する映像信号受信部と、前記複数の入力映像信号の調整が可能な映像調整部と、前記複数種類の入力映像信号を合成する映像合成部と、映像を表示する映像表示部と、操作端末から発行された操作信号を受信する操作信号受信部と、前記操作信号内に含まれる操作端末を識別可能な識別情報と表示中の映像との対応を管理する識別情報管理部と、前記複数種類の入力映像信号の表示設定情報を記録するデータ記録部を備え、前記操作信号の識別情報と識別情報管理部の管理情報から、どの入力映像信号に対する操作が行われるのかを判断し、データ記録部から操作対象の入力映像信号の設定情報を取得し、前記映像合成部にて複数種類の入力映像信号を合成するとともに設定情報にもとづいた映像の調整を映像調整部で行い映像表示部にて映像を表示する制御部を備えたことを特徴とする。【選択図】図１
2018004853.tif 000002
【特許請求の範囲】
【請求項１】
複数種類の入力映像信号を受信する映像信号受信部と、前記複数の入力映像信号の調整が可能な映像調整部と、前記複数種類の入力映像信号を合成する映像合成部と、映像を表示する映像表示部と、操作端末から発行された操作信号を受信する操作信号受信部と、前記操作信号内に含まれる操作端末を識別可能な識別情報と表示中の映像との対応を管理する識別情報管理部と、前記複数種類の入力映像信号の表示設定情報を記録するデータ記録部を備え、前記操作信号の識別情報と識別情報管理部の管理情報から、どの入力映像信号に対する操作が行われるのかを判断し、データ記録部から操作対象の入力映像信号の設定情報を取得し、前記映像合成部にて複数種類の入力映像信号を合成するとともに設定情報にもとづいた映像の調整を映像調整部で行い映像表示部にて映像を表示する制御部を備えたことを特徴とする表示装置。
【請求項２】
外部から入力された複数種類の映像信号を１つの画面上のどの位置に表示するかを決定する表示位置制御部を備え、前記表示位置制御部から取得した映像位置情報に対して、操作信号の種類を割り当て、どの入力映像信号に対する操作が行われるのかを判断する制御部を備えることを特徴とする請求項１に記載の表示装置。
【請求項３】
外部から入力された複数種類の映像信号を１つの画面上で表示する際にそれぞれの映像の大きさを制御する映像サイズ制御部を備え、前記映像サイズ制御部から取得した前記複数種類  の入力映像信号のサイズ情報から、一番大きく表示している入力映像信号に１画面時に使用していた操作端末の操作信号の種類を割り当てるよう制御する制御部を備えることを特徴とする請求項１又は請求項２に記載の表示装置。
【発明の詳細な説明】
【技術分野】
【０００１】
本発明は、表示装置に関し、特に２つ以上の複数種類の映像を表示中の表示装置の操作性に関する。
【背景技術】
【０００２】
これまで、入力映像信号が２つ以上存在した場合に、１つの画面上に２つの入力映像を同時に表示可能な表示装置が公開されている。
【０００３】
特許文献１には、ピクチャー・イン・ピクチャーの表示方法に関する技術が開示されている。特許文献２には、ピクチャー・バイ・ピクチャーの表示と操作に関する技術が開示されている。
【先行技術文献】
【特許文献】
【０００４】
【特許文献１】特開平０５−２８４４２３号公報
【特許文献２】特開２００８−１７７９７４号公報
【発明の概要】
【発明が解決しようとする課題】
【０００５】
従来の複数画面を表示可能な表示装置の多くは、表示している映像毎に異なるパラメータの設定を行うことが可能である。
【０００６】
しかしながら、ユーザが複数種類の映像毎に個別に操作を行う場合、表示している複数種類ある映像の中から操作対象となる映像を選択してから設定を変更するといった手順を伴う。
【０００７】
たとえば、図２に示すような場合、図２（Ａ）では表示映像３００中に映像信号１００と、映像信号２００を並べて（ピクチャー  バイ  ピクチャーで）表示している状態で、映像信号１００に操作権があり、ユーザは映像信号１００に対する操作が可能な状態である。その後、映像信号２００の操作を行うため、図２の（Ｂ）（Ｃ）にかけて、映像映像信号１００の操作権を映像信号２００に切り替え、その後、図２（Ｄ）に示すようにメニュー等のＯＳＤを表示して映像２００設定を変更するような手順となる。上述のように、従来の複数画面を表示可能な表示装置における映像毎の操作は、ユーザにとって煩わしさがあった。
【０００８】
そこで、本発明の目的は、複数種類の映像を表示可能な表示装置において、ユーザの手を煩わせることなく、ユーザにとって直感的な操作が可能な表示装置を提供することにある。
【課題を解決するための手段】
【０００９】
上記の目的を達成するために、本発明に係る表示装置は、
複数種類の入力映像信号を受信する映像信号受信部と、前記複数の入力映像信号の調整が可能な映像調整部と、前記複数種類の入力映像信号を合成する映像合成部と、映像を表示する映像表示部と、操作端末から発行された操作信号を受信する操作信号受信部と、前記操作信号内に含まれる操作端末を識別可能な識別情報と表示中の映像との対応を管理する識別情報管理部と、前記複数種類の入力映像信号の表示設定情報を記録するデータ記録部を備え、前記操作信号の識別情報と識別情報管理部の管理情報から、どの入力映像信号に対する操作が行われるのかを判断し、データ記録部から操作対象の入力映像信号の設定情報を取得し、前記映像合成部にて複数種類の入力映像信号を合成するとともに設定情報にもとづいた映像の調整を映像調整部で行い映像表示部にて映像を表示する制御部を備えたことを特徴とする。
【発明の効果】
【００１０】
本発明に係る表示装置によれば、従来のようにユーザが複数種類の映像毎に個別に操作を行う場合、操作端末からの操作において、複数種類ある映像の中から操作対象となる映像を選択してから設定を変更するといった手順を踏むことなく、操作端末を使い分けることで任意の映像の操作を行うことが出来る。
【図面の簡単な説明】
【００１１】
【図１】実施例１における表示装置の構成図
【図２】従来の２画面映像の操作の説明図
【図３】本発明における２画面映像の操作の説明図
【図４】実施例１におけるフローを示すチャート
【図５】実施例１における表示装置の構成図２
【図６】実施例２における表示装置の構成図
【図７】実施例２におけるイメージ図
【図８】実施例３における表示装置の構成図
【図９】実施例３におけるイメージ図
【発明を実施するための形態】
【００１２】
以下に、本発明の好ましい実施の形態を、添付の図面に基づいて詳細に説明する。
【実施例１】
【００１３】
以下、本発明の第１の実施例による、表示装置について説明する。
【００１４】
図１は本実施例における表示装置の構成を示すブロック図である。
【００１５】
本実施例においては図３に示すようにピクチャー・バイ・ピクチャー等、スクリーン２投射した映像３００上に２種類の入力映像を表示しているプロジェクタの場合について以下に説明する。
【００１６】
１は本発明の示すプロジェクタの筺体である。
【００１７】
１０は外部からの複数種類の入力映像信号を受信可能な映像信号受信部１０であり、本実施例においては、入力映像信号１００と入力映像信号２００の２つの映像信号を受信することとし、入力信号の規格は限定しない。
【００１８】
１１は１０から受信した入力映像信号を、個別に画質の調整が可能な映像調整部１１であり、本実施例においては、入力映像信号１００と入力映像信号２００のそれぞれの信号に対する調整が可能である。
【００１９】
１２は１１にて調整された入力映像信号１００と入力映像信号２００を合成した合成映像信号３００を生成する映像合成部１２である。映像合成部１２では映像信号１００と映像信号２００のピクチャー・イン・ピクチャーやピクチャー・バイ・ピクチャー等の合成映像を生成可能な回路からなる。また、制御部１７からの制御によって、映像合成部１２は映像信号１００と映像信号２００を合成せずにどちらか一方の映像のみを合成映像信号３００として生成することも可能である。
【００２０】
１３は１２の映像合成部から取得した合成映像信号３００から映像表示するための映像表示部１３であり、液晶パネルなどから構成されるがこれに限定しない。
【００２１】
１４は図３に示すようなリモコン３またはリモコン４の操作端末毎にそれぞれ異なる端末識別情報を含んだ操作信号４００を受信する操作信号受信部１４である。操作信号受信部１４で受信した操作信号４００を内部で処理可能な電気的な信号に変換後、制御部１７に通知される。制御部１７は通知された操作信号４００から端末識別情報を検出する。
【００２２】
１５は映像と操作信号４００に含まれる端末識別情報との関係を管理する識別情報管理部１５である。
【００２３】
ここで、端末識別情報について説明をする。通常、多くのプロジェクタとリモコンは、操作が可能な端末を限定するために、互いに共通の識別情報のテーブルを持つ。リモコンはユーザによって設定された自身の端末識別情報を含めた操作信号４００を発信し、プロジェクタ１は受信した操作信号中の端末識別情報と、ユーザによって設定されているプロジェクタの受信可能な端末の識別情報とを比較し、一致していた場合にのみ受信した操作信号４００に応答することが可能である。
【００２４】
これにより、たとえば複数のプロジェクタを使ったマルチ投射をするような場合、操作対象となるプロジェクタとリモコン側の持つ端末識別情報を同じ識別情報に設定しておくことで、リモコンから、複数台の内端末識別情報の一致するプロジェクタのみ操作することが可能である。
【００２５】
上記技術を応用し、識別情報管理部１５では端末識別情報を表示している２つの映像信号１００と映像信号２００それぞれに１対１になるよう割り当てる。
【００２６】
それぞれの映像信号と端末識別情報の割り当て方は、ユーザによって任意に割り当てられてもよく、あらかじめ映像信号１００と映像信号２００に割り当てていてもよく、１画面を表示中に２画面の表示に切り替わった際に動的に割り当てても良い。たとえば、１画面を表示している際に使用していた端末識別情報は２画面表示に切り替わった後も、１画面表示時に表示していた映像信号１００もしくは、映像信号２００に自動的に割り当てられ、２画面表示に切り替わって新たに表示された映像信号に対しては新しい端末識別情報を割り当てるとしても良い。
【００２７】
１６は入力映像毎に設定される映像信号の種々の設定情報を保存、または、読み出すことが可能なデータ記録部１６であり、ＥＥＰＲＯＭなどの記録用部材からなる。
【００２８】
制御部１７はユーザ操作による操作信号を受信した場合、操作信号４００に含まれる端末識別情報と識別情報管理部１５から取得した映像毎に割り当てられた端末識別情報から、表示中の２つの映像信号の内、操作対象となる映像を決定する。次に、操作内容に応じて、データ記録部１６から操作対象となる映像信号の設定情報を取得し、前記取得した設定情報をベースとして映像調整部１１にて映像調整を行うことができる。
【００２９】
次に、図４にて本実施例における制御フローを説明する。
【００３０】
プロジェクタ１は映像信号１００と映像信号２００を表示中であり、あらかじめ映像信号１００には、端末識別情報ＩＤ＝ｘが割り当てられ、映像信号２００にはＩＤ＝ｙが割り当てられているとする。
【００３１】
ステップＳ１００では操作信号受信部１４にてユーザがリモコンで操作をした際に発行される操作信号５００を受信する。
【００３２】
ステップＳ１０１で操作信号順部１４から受信した操作信号４００を制御部１７は、操作信号内に含まれている端末識別情報（ＩＤ）と識別情報管理部１５から取得した映像信号毎に割り当てられた端末識別情報とを比較する。ここでは、識別情報管理部において、映像信号１００に対して、ＩＤ＝ｘが割り当てられており、映像信号２００に対してはＩＤ＝ｙが割り当てられているとする。比較の結果、ＩＤ＝ｘであった場合には、映像信号１００に対する操作であると判断され、
続くステップＳ１０２において、制御部１７はデータ記録部１６から映像信号１００に対する設定情報を取得する。
【００３３】
一方、ステップＳ１０１で取得した識別情報がＩＤ＝ｙであった場合は、ステップＳ１０３において、制御部１７はデータ記録部１６から映像信号２００に対する設定情報を取得する。
【００３４】
ステップＳ１０４では、操作信号４００を受信した制御部１８は操作内容を判断し、映像信号毎の設定を変更する場合には、ステップＳ１０５にて、ステップＳ１０２もしくはステップＳ１０３で取得した映像毎の設定情報を基に映像調整部１１で映像の調整処理を行い、続くステップＳ１０６へ進む。ステップ１０４で設定変更を伴わない操作であった場合には、ステップＳ１０６へ進む。
【００３５】
ステップ１０６では表示中の映像信号１００と映像信号２００を映像合成部１２にて合成し、ステップＳ１０７で合成した映像信号４００を映像表示部１３に表示する。
【００３６】
上記実施例によれば、図３に示すようにそれぞれ異なる識別情報を設定した操作端末であるリモコン３とリモコン４から受信した操作信号４００から、プロジェクタ１は操作対象となる映像信号がスクリーン２に投射されている投射画面３００の中の映像信号１００、映像信号２００のどちらであるかを判断し応答することが可能となる。たとえば、映像信号１００に対する操作をＩＤ＝ｘである操作端末３によって行い、映像信号２００に対する操作をＩＤ＝ｙである操作端末４で行うことができる。
【００３７】
このように、操作端末を使い分けることで、映像毎の設定情報等の操作を行うことができる。さらに、図５に示すように、メニューなどのＯＳＤを生成するメニュー生成部２０を追加した構成によれば、ユーザ操作によって必要に応じてメニュー等を表示することが可能となる。
【００３８】
本実施例において、表示装置をプロジェクタとしたが、テレビジョン表示装置でもよく、それ以外の表示装置でもよい。また、１画面上に表示できる映像は２つに制限されない。さらに、また本実施例における操作端末を赤外線発行する、プロジェクタを制御可能なリモートコントローラとしたがこれに限定をしない。他に、本発明の表示装置を操作するためのアプリケーションをダウンロードしたタブレット式の無線通信端末などでもよく、またそれ以外でもよい。
【実施例２】
【００３９】
以下、本発明の第１の実施例による、表示装置について説明する。
【００４０】
図６は本実施例における表示装置の構成を示すブロック図である。
【００４１】
本実施例においては図３に示すようにピクチャー・バイ・ピクチャー等、スクリーン２投射した映像３００上に２種類の入力映像を表示しているプロジェクタの場合について以下に説明する。
【００４２】
１は本発明の示すプロジェクタの筺体である。
【００４３】
１０は外部からの複数種類の入力映像信号を受信可能な映像信号受信部１０であり、本実施例においては、入力映像信号１００と入力映像信号２００の２つの映像信号を受信することとし、入力信号の規格は限定しない。
【００４４】
１１は１０から受信した入力映像信号を、個別に画質の調整が可能な映像調整部１１であり、本実施例においては、入力映像信号１００と入力映像信号２００のそれぞれの信号に対する調整が可能である。
【００４５】
１２は１１にて調整された入力映像信号１００と入力映像信号２００を合成した合成映像信号３００を生成する映像合成部１２である。映像合成部１２では映像信号１００と映像信号２００のピクチャー・イン・ピクチャーやピクチャー・バイ・ピクチャー等の合成映像を生成可能な回路からなる。また、制御部１７からの制御によって、映像合成部１２は映像信号１００と映像信号２００を合成せずにどちらか一方の映像のみを合成映像信号３００として生成することも可能である。
【００４６】
１３は１２の映像合成部から取得した合成映像信号３００から映像表示するための映像表示部１３であり、液晶パネルなどから構成されるがこれに限定されるものではない。
【００４７】
１４は図３に示すような操作端末であるリモコン３またはリモコン４などの操作端末毎にそれぞれ異なる端末識別情報を含んだ操作信号４００を操作信号受信部１４で受信する。操作信号受信部１４で受信した操作信号４００を内部で処理可能な電気的な信号に変換後、制御部１７に通知される。制御部１７は通知された操作信号４００から端末識別情報を検出する。
【００４８】
１５は映像と操作信号４００に含まれる端末識別情報との関係を管理する識別情報管理部１５である。識別情報管理部１５では端末識別情報を表示している２つの映像信号１００と映像信号２００それぞれに１対１になるよう割り当てられる。
【００４９】
１６は入力映像毎に設定される映像信号の種々の設定情報を保存、または、読み出すことが可能なデータ記録部１６であり、ＥＥＰＲＯＭなどの記録用部材からなる。
【００５０】
１８はプロジェクタ１に入力されている２つ以上の映像信号を同時に１画面上に表示するために映像信号を合成する際に、それぞれの映像信号の表示位置を制御するための表示位置制御部１８である。表示位置制御部は、たとえば図７の（Ａ）および（Ｂ）に示すように映像信号１００と映像信号２００の互いの表示位置を切り替え可能なスイッチ制御回路でもよい。
【００５１】
制御部１７は、表示位置制御部１８から取得したぞれぞれの映像信号の表示位置情報から映像信号に割り当てる端末識別情報を決定し、識別情報管理部１５に映像信号と端末識別情報との関係情報を記録する。ユーザ操作による操作信号４００を操作信号受信部１４で受信した後、操作信号４００に含まれる端末識別情報と先に記録しておいた識別情報管理部１５から取得した映像毎に割り当てられた端末識別情報から、表示中の２つの映像信号の内、操作対象となる映像を決定する。次に、操作内容に応じて、データ記録部１６から操作対象となる映像信号の設定情報を取得し、映像調整部１１にて映像調整を行うことができる。
【００５２】
本実施例によれば、投射映像上に表示されている映像の表示位置によって、操作端末の識別情報を割り当てることが可能である。
【００５３】
図７に示すように、投射映像３の表示位置が変更したとしても、たとえば図７（Ａ）、（Ｂ）のように水平方向に２つ並べて表示されている映像信号１００と映像信号２００の表示位置が切り替わったとしても、スクリーンに向かって左側に表示されている映像信号に対して１画面時に使用していた識別情報を割り当て、もう一方の映像信号に対しいては新規に識別情報を割り当てるなどの制御が可能である。
【００５４】
これにより、表示している映像の位置によって、ユーザはどの操作端末を使用して所望の映像の操作を行えばよいかを直感的に判断して仕様することが可能である。
【実施例３】
【００５５】
以下、本発明の第１の実施例による、表示装置について説明する。
【００５６】
図８は本実施例における表示装置の構成を示すブロック図である。
【００５７】
本実施例においては図３に示すようにピクチャー・バイ・ピクチャー等、スクリーン２投射した映像３００上に２種類の入力映像を表示しているプロジェクタの場合について以下に説明する。
【００５８】
１は本発明の示すプロジェクタの筺体である。
【００５９】
１０は外部からの複数種類の入力映像信号を受信可能な映像信号受信部１０であり、本実施例においては、入力映像信号１００と入力映像信号２００の２つの映像信号を受信することとし、入力信号の規格は限定しない。
【００６０】
１１は１０から受信した入力映像信号を、個別に画質の調整が可能な映像調整部１１であり、本実施例においては、入力映像信号１００と入力映像信号２００のそれぞれの信号に対する調整が可能である。
【００６１】
１２は１１にて調整された入力映像信号１００と入力映像信号２００を合成した合成映像信号３００を生成する映像合成部１２である。映像合成部１２では映像信号１００と映像信号２００のピクチャー・イン・ピクチャーやピクチャー・バイ・ピクチャー等の合成映像を生成可能な回路からなる。また、制御部１７からの制御によって、映像合成部１２は映像信号１００と映像信号２００を合成せずにどちらか一方の映像のみを合成映像信号３００として生成することも可能である。
【００６２】
１３は１２の映像合成部から取得した合成映像信号３００から映像表示するための映像表示部１３であり、液晶パネルなどから構成されるがこれに限定されるものではない。
【００６３】
１４は図３に示すような操作端末であるリモコン３またはリモコン４などの操作端末毎にそれぞれ異なる端末識別情報を含んだ操作信号４００を操作信号受信部１４で受信する。操作信号受信部１４で受信した操作信号４００を内部で処理可能な電気的な信号に変換後、制御部１７に通知される。制御部１７は通知された操作信号４００から端末識別情報を検出する。
【００６４】
１５は映像と操作信号４００に含まれる端末識別情報との関係を管理する識別情報管理部１５である。識別情報管理部１５では端末識別情報を表示している２つの映像信号１００と映像信号２００それぞれに１対１になるよう割り当てられる。
【００６５】
１６は入力映像毎に設定される映像信号の種々の設定情報を保存、または、読み出すことが可能なデータ記録部１６であり、ＥＥＰＲＯＭなどの記録用部材からなる。
【００６６】
１９はプロジェクタ１に入力されている２つ以上の映像信号を同時に１画面上に表示する場合に、映像信号毎に拡大・縮小と表示サイズを制御するための映像サイズ制御部１９である。
【００６７】
制御部１７は、映像サイズ制御部１９から取得したぞれぞれの映像のサイズ情報から映像に割り当てる端末識別情報を決定する。操作信号受信部１４で取得した操作信号内の端末識別情報と、前記方法で映像毎に割り当てられた操作端末識別情報とから操作対象の映像を決定後、データ記録部１６から操作対象の映像の設定情報を取得し、映像調整部１１にて設定情報に基づいた操作対象の映像の調整を行う。
【００６８】
本実施例によれば、投射映像上に表示されている複数種類の映像の中から映像の表示サイズによって、操作端末の識別情報の割り当て方を決定することが可能である。たとえば、図９（Ａ）および、（Ｂ）に示すように映像信号１００と映像信号２００が入れ替わったとしても、投射映像上に一方の映像よりも大きく表示されている映像に対して、１画面時に使用していた識別情報を持つリモコンで操作可能とし、もう一方の映像に対しては新しく割り当てられた識別情報を持つリモコンで操作可能となるように制御することができる。
【符号の説明】
【００６９】
１  表示装置、１０  映像受信部、１１  映像調整部、１２  映像合成部、
１３  映像表示部、１４  操作信号受信部、１５  識別情報管理部、
１６  データ記録部、１７  制御部、１００  入力映像信号、２００  入力映像信号、
３００  合成映像信号、４００  操作信号
【図１】
2018004853.tif 000003
【図２】
2018004853.tif 000004
【図３】
2018004853.tif 000005
【図４】
2018004853.tif 000006
【図５】
2018004853.tif 000007
【図６】
2018004853.tif 000008
【図７】
2018004853.tif 000009
【図８】
2018004853.tif 000010
【図９】
2018004853.tif 000011